(57)【要約】  【課題】  良好な収差補正能力を有し、色にじみ等を含むフレアーの発生の少ない３つのレンズからなる接合レンズを提供すること。  【解決手段】  正レンズである第一レンズと、一方の面に前記第一レンズが接合されている第二レンズと、前記第二レンズの他方の面に接合されている第三レンズとからなり、正のパワーを有する接合レンズにおいて、以下の条件式を満足することを特徴とする。      ０．１  ＜  （ｎM3−ｎM2）／（ｎM1−ｎM2）  ＜  ５           ・・・（１）      ０．０５  ＜  （ｎM2−ｎM1）  ＜  ０．２５                   ・・・（２）      ０．１  ＜  ｄM2／（ｄM1＋ｄM2＋ｄM3）  ＜  ０．７           ・・・（３）  但し、ｎM1、ｎM2、ｎM3はそれぞれ前記第一レンズ、前記第二レンズ、前記第三レンズのｄ線の屈折率であり、ｄM1、ｄM2、ｄM3はそれぞれ前記第一レンズ、前記第二レンズ、前記第三レンズの中心肉厚である。【選択図】  図１
2009222804.tif 000002
【特許請求の範囲】
【請求項１】
正レンズである第一レンズと、一方の面に前記第一レンズが接合されている第二レンズと、前記第二レンズの他方の面に接合されている第三レンズとからなり、正のパワーを有する接合レンズにおいて、
以下の条件式を満足することを特徴とする接合レンズ。
０．１  ＜  （ｎM3−ｎM2）／（ｎM1−ｎM2）  ＜  ５          ・・・（１）
０．０５  ＜  （ｎM2−ｎM1）  ＜  ０．２５                  ・・・（２）
０．１  ＜  ｄM2／（ｄM1＋ｄM2＋ｄM3）  ＜  ０．７          ・・・（３）
但し、ｎM1、ｎM2、ｎM3はそれぞれ前記第一レンズ、前記第二レンズ、前記第三レンズのｄ線の屈折率であり、ｄM1、ｄM2、ｄM3はそれぞれ前記第一レンズ、前記第二レンズ、前記第三レンズの中心肉厚である。
【請求項２】
前記第二レンズが、負レンズであり、
以下の条件式を満足することを特徴とする請求項１に記載の接合レンズ。
８  ＜  νM2  ＜２８                                        ・・・（４）
０．０４  ＜  （θｇＦM2−θｇＦM1）  ＜  ０．０８          ・・・（５）
但し、νM2は前記第二レンズのｄ線に対するアッベ数であり、θｇＦM1、θｇＦM2はそれぞれ前記第一レンズ、前記第二レンズのｇ線とＦ線の部分分散比であり、ｇ線とＦ線の部分分散比は以下の式で示される。
（ｇ線の屈折率−Ｆ線の屈折率）／（Ｆ線の屈折率−Ｃ線の屈折率）
【請求項３】
以下の条件式を満足することを特徴とする請求項１又は２に記載の接合レンズ。
５  ＜  （νM1−νM2）  ＜  ４５                            ・・・（６）
５  ＜  （νM3−νM2）  ＜  ４５                            ・・・（７）
１．４  ＜  ｎM1  ＜  １．６５                              ・・・（８）
１．４  ＜  ｎM2  ＜  １．６５                              ・・・（９）
１．４  ＜  ｎM3  ＜  １．６５                             ・・・（１０）
但し、νM1、νM2、νM3はそれぞれ前記第一レンズ、前記第ニレンズ、前記第三レンズのｄ線に対するアッベ数である。
【請求項４】
前記第二レンズが、ＵＶ硬化樹脂で形成されていることを特徴とする請求項１乃至３のいずれか１項に記載の接合レンズ。
【請求項５】
物体側から順に、正のパワーを有する前群と、負のパワーを有する後群とにより構成されている撮像光学系であって、
前記前群が、請求項１乃至４のいずれか１項に記載の接合レンズを含んでおり、絞りよりも物体側に配置されていることを特徴とする撮像光学系。
【請求項６】
前記接合レンズが、像側から順に、前記第一レンズ、前記第二レンズ、前記第三レンズとなるように配置されており、
前記第三レンズが、物体側に凸面を向けた負レンズであり、
前記第三レンズの物体側の面の曲率が、前記第一レンズの像側の面の曲率よりも大きいことを特徴とする請求項５に記載の撮像光学系。
【発明の詳細な説明】
【技術分野】
【０００１】
本発明は、３つのレンズからなる接合レンズ、及びそれを用いた撮像光学系に関し、特にスチルカメラやビデオカメラ等の撮像光学系に好適な撮像光学系に関する。
【背景技術】
【０００２】
近年、スチルカメラやビデオカメラ等に採用される撮像光学系は、良好な結像性能を持つことが要求されている。そのため、その撮像光学系に採用される接合レンズも、良好な収差補正能力を有することが好ましい。そのような接合レンズとしては、３つのレンズからなり、収差、特に色収差に対して一定の補正効果を有するものが知られており、下記の特許文献１にその一例が記載されている。
【０００３】
【特許文献１】特開２００５−１５７１２０号公報
【発明の開示】
【発明が解決しようとする課題】
【０００４】
しかし、特許文献１に記載されているような接合レンズは、空気接触面の屈折率が高いため、表面反射率が高く、色にじみ等を含むフレアー等の不要光が発生しやすいという問題があった。
【０００５】
また、不要光の発生を抑えるために、その空気接触面に反射防止コートを施すという方法もあるが、その方法では、広い波長域で反射防止効果を得ることが難しく、不要光の発生を十分に抑えることが難しいという問題があった。
【０００６】
さらに、不要光の発生を抑えるために、空気接触面の屈折率を低くするという方法もある。しかし、一般に、屈折率の低いレンズは単体での収差発生量が大きい。そのため、空気接触面の屈折率を低くするために、屈折率の低いレンズを用いると、良好な結像性能を得にくくなるという問題があった。
【０００７】
本発明は、このような従来技術の問題点に鑑みてなされたものであり、その目的とするところは、良好な収差補正能力を有し、色にじみ等を含むフレアーの発生の少ない３つのレンズからなる接合レンズ、及びそれを用いた撮像装置を提供することである。
【課題を解決するための手段】
【０００８】
上記の目的を達成するために、本発明の接合レンズは、正レンズである第一レンズと、一方の面に前記第一レンズが接合されている第二レンズと、前記第二レンズの他方の面に接合されている第三レンズとからなり、正のパワーを有する接合レンズにおいて、以下の条件式を満足することを特徴とする。
０．１  ＜  （ｎM3−ｎM2）／（ｎM1−ｎM2）  ＜  ５            ・・・（１）
０．０５  ＜  （ｎM2−ｎM1）  ＜  ０．２５                    ・・・（２）
０．１  ＜  ｄM2／（ｄM1＋ｄM2＋ｄM3）  ＜  ０．７            ・・・（３）
但し、ｎM1、ｎM2、ｎM3はそれぞれ前記第一レンズ、前記第二レンズ、前記第三レンズのｄ線の屈折率であり、ｄM1、ｄM2、ｄM3はそれぞれ前記第一レンズ、前記第二レンズ、前記第三レンズの中心肉厚である。
【０００９】
また、本発明の接合レンズは、前記第二レンズが、負レンズであり、以下の条件式を満足することが好ましい。
８  ＜  νM2  ＜２８                                          ・・・（４）
０．０４  ＜  （θｇＦM2−θｇＦM1）  ＜  ０．０８           ・・・（５）
但し、νM2は前記第二レンズのｄ線に対するアッベ数であり、θｇＦM1、θｇＦM2はそれぞれ前記第一レンズ、前記第二レンズのｇ線とF線の部分分散比であり、ｇ線とＦ線の部分分散比は以下の式で示される。
（ｇ線の屈折率−Ｆ線の屈折率）／（Ｆ線の屈折率−Ｃ線の屈折率）
【００１０】
また、本発明の接合レンズは、以下の条件式を満足することが好ましい。
５  ＜  （νM1−νM2）  ＜  ４５                            ・・・（６）
５  ＜  （νM3−νM2）  ＜  ４５                            ・・・（７）
１．４  ＜  ｎM1  ＜  １．６５                              ・・・（８）
１．４  ＜  ｎM2  ＜  １．６５                              ・・・（９）
１．４  ＜  ｎM3  ＜  １．６５                              ・・・（１０）
但し、νM1、νM2、νM3はそれぞれ前記第一レンズ、前記第ニレンズ、前記第三レンズのｄ線に対するアッベ数である。
【００１１】
また、本発明の接合レンズは、前記第二レンズが、ＵＶ硬化樹脂で形成されていることが好ましい。
【００１２】
また、上記目的を達成するために、本発明の撮像光学系は、物体側から順に、正のパワーを有する前群と、負のパワーを有する後群とにより構成されている撮像光学系であって、前記前群が、上記いずれかの接合レンズを含んでおり、絞りよりも物体側に配置されていること絞りよりも物体側に配置されていることを特徴とする。
【００１３】
また、本発明の撮像光学系は、前記接合レンズが、像側から順に、前記第一レンズ、前記第二レンズ、前記第三レンズとなるように配置されており、前記第三レンズが、物体側に凸面を向けた負レンズであり、前記第三レンズの物体側の面の曲率が、前記第一レンズの像側の面の曲率よりも大きいことが好ましい。
【発明の効果】
【００１４】
本発明によれば、良好な収差補正能力を有し、色にじみ等を含むフレアーの発生の少ない３つのレンズからなる接合レンズ、及びそれを用いた撮像装置を提供することができる。
【発明を実施するための最良の形態】
【００１５】
本実施形態の接合レンズ及びそれを用いた撮像光学系の説明に先立ち、本実施形態の接合レンズの構成による作用効果を説明する。
【００１６】
本実施形態の接合レンズは、正レンズである第一レンズと、一方の面に前記第一レンズが接合されている第二レンズと、第二レンズの他方の面に接合されている第三レンズとからなり、正のパワーを有する接合レンズで構成されている。そしてこのような構成において、以下の条件式を満足する。
０．１  ＜  （ｎM3−ｎM2）／（ｎM1−ｎM2）  ＜  ５          ・・・（１）
０．０５  ＜  （ｎM2−ｎM1）  ＜  ０．２５                  ・・・（２）
０．１  ＜  ｄM2／（ｄM1＋ｄM2＋ｄM3）  ＜  ０．７          ・・・（３）
但し、ｎM1、ｎM2、ｎM3はそれぞれ第一レンズ、第二レンズ、第三レンズのｄ線の屈折率であり、ｄM1、ｄM2、ｄM3はそれぞれ第一レンズ、第二レンズ、第三レンズの中心肉厚である。
【００１７】
条件式（１）は、本発明の接合レンズの屈折率を規定する条件式であり、条件式（２）は、第一レンズと第二レンズとの接合面における単色収差補正と色収差補正のバランスを規定する条件式であり、条件式（３）は、第二レンズの中心肉厚を規定するための条件式である。
【００１８】
空気に接触しているレンズ面（以下、単に「空気接触面」とする）を有するレンズの屈折率が低いと、その空気接触面における表面反射が抑えられ、フレアー等の不要光が発生しにくい。また、このような空気接触面の屈折率（空気接触面を有するレンズの屈折率）を低くして反射防止効果を得る方法は、空気接触面に単層又は複層の反射防止コートを施して反射防止効果を得る方法とは異なり、波長域の全域に対して反射防止効果を得ることができる。
【００１９】
しかし、一般に、屈折率の低いレンズは、単体での収差発生量が大きい。そのため、空気接触面の屈折率が低くなるように、空気接触面となる面を有するレンズに屈折率の低いレンズを用いる構成とすると、発生する収差が問題となってくる。
【００２０】
そこで、本実施形態の接合レンズは、３つのレンズからなる接合レンズであって、条件式（１）と条件式（２）を満足するような構成、すなわち、空気接触面となる面を有する第一レンズと第三レンズの屈折率よりも、それらの間に配置されている第二レンズの屈折率が高くなるような構成としている。
【００２１】
このように構成されている本実施形態の接合レンズは、空気接触面の屈折率が低いため、空気接触面における表面反射が小さく、フレアー等の不要光が発生しにくい。また、屈折率の低い第一レンズや第三レンズの間に、それらよりも屈折率の高い第二レンズを配置しているため、第一レンズや第三レンズにおいて発生する収差を、十分に補正することができる。さらに、接合レンズ全体で色収差をコントロールし、色収差によるフレアーを効果的に低減できる。
【００２２】
なお、レンズの屈折率を規定する条件式である条件式（１）の下限値を下回ると、第一レンズ又は第三レンズの屈折率が、第二レンズの屈折率よりも大きくなってしまう。一方、上限値を上回ると、第一レンズと第二レンズとの屈折率差が小さくなりすぎてしまい、それらの接合面における収差補正が十分にしにくくなり、コマフレアー等が発生しやすくなってしまう。
【００２３】
また、第一レンズと第二レンズとの接合面における単色収差補正と色収差補正のバランスを規定する条件式である条件式（２）の下限値を下回ると、単色収差補正がしにくくなる。一方、上限値を上回ると、色収差を補正したときに、単色収差補正が過剰になってしまう。また、接合面における反射率が高くなり、フレアー等が発生しやすくなってしまう。
【００２４】
また、単色収差と色収差に関する高次収差は、結像性能としてはフレアーのように観察されることが多いため、それらの高次収差を補正することができれば、フレアーの低減効果を得ることができる。
【００２５】
そこで、本実施形態の接合レンズは、条件式（３）を満足するような構成、すなわち、第二レンズの中心肉厚を適切な大きさとする構成としている。
【００２６】
このように構成されている本実施形態の接合レンズは、第一レンズと第二レンズとの接合面と、第二レンズと第三レンズとの接合面とが近いため、単色収差と色収差に関する高次収差を十分に補正することができる。
【００２７】
なお、第二レンズの中心肉厚を規定するための条件式である条件式（３）の下限値を下回ると、第二レンズの中心肉厚が薄くなりすぎてしまい、第二レンズを構成しにくくなる。一方、上限値を上回ると、高次収差を十分に補正しにくくなる。
【００２８】
なお、本実施形態の接合レンズは、３つのレンズを接合するために接合剤等を用いた場合に、第二レンズの厚さに対して接合剤の厚みが厚くなりすぎると、その接合剤が結像性能が劣化の原因となる。そのため、接合剤等は使用せずに接合レンズを構成することが好ましい。接合剤等を使用しないで接合レンズを構成する方法としては、例えば、枠等で第一レンズと第三レンズを挟み、第二レンズはＵＶ硬化樹脂としてこれを第一レンズと第三レンズの間に流し込むという方法がある。また、第一レンズと第二レンズ、第二レンズと第三レンズの接合面の間に、密着性を上げるためのコートを施しても良い。
【００２９】
また、本実施形態の接合レンズは、第二レンズが、負レンズであり、以下の条件式を満足することが好ましい。
８  ＜  νM2  ＜２８                                          ・・・（４）
０．０４  ＜  （θｇＦM2−θｇＦM1）  ＜  ０．０８            ・・・（５）
但し、νM2は第二レンズのｄ線に対するアッベ数であり、θｇＦM1、θｇＦM2はそれぞれ第一レンズ、第二レンズのｇ線とＦ線の部分分散比である。ここで、ｇ線とＦ線の部分分散比は以下の式で示される。
（ｇ線の屈折率−Ｆ線の屈折率）／（Ｆ線の屈折率−Ｃ線の屈折率）
【００３０】
条件式（４）は、条件式（２）と同じく、第一レンズと第二レンズとの接合面における単色収差補正と色収差補正のバランスを規定する条件式である。この条件式（４）の下限値を下回ると、透過率が良く、また、散乱の少ない光学材質の入手が困難となるため好ましくない。一方、上限値を上回ると、色収差補正を十分にしにくくなるため好ましくない。
【００３１】
条件式（５）は、第一レンズと第二レンズのｇ線とＦ線の部分分散比を規定するための条件式である。本発明の接合レンズは、第一レンズを正レンズ、第二レンズを負レンズとし、この条件式（５）を満足するように構成すると、２次スペクトルを効果的に除去することができ、色のにじみによる性能劣化を抑えることができる。この条件式（５）の下限値を下回ると、２次スペクトルを十分に補正しにくくなるため好ましくない。一方、上限値を上回ると、２次スペクトルの補正が過剰になりやすいため好ましくない。
【００３２】
また、本実施形態の接合レンズは、以下の条件式を満足することが好ましい。
５  ＜  （νM1−νM2）  ＜  ４５                            ・・・（６）
５  ＜  （νM3−νM2）  ＜  ４５                            ・・・（７）
１．４  ＜  ｎM1  ＜  １．６５                              ・・・（８）
１．４  ＜  ｎM2  ＜  １．６５                              ・・・（９）
１．４  ＜  ｎM3  ＜  １．６５                              ・・・（１０）
但し、νM1、νM2、νM3はそれぞれ第一レンズ、第ニレンズ、第三レンズのｄ線に対するアッベ数である。
【００３３】
条件式（６）は、第一レンズのアッベ数と第二レンズのアッベ数との関係を規定する条件式であり、条件式（７）は、第二レンズのアッベ数と第三レンズのアッベ数との関係を規定する条件式である。この条件式（６）又は（７）の下限値を下回ると、色収差を十分に補正しにくくなる。一方、上限値を上回ると、単色収差補正と色収差補正のバランスが崩れてしまうため好ましくない。すなわち、接合面における屈折力を上げると色収差の補正が過剰になりやすく、屈折力を下げると単色収差を十分に補正しにくくなり好ましくない。
【００３４】
条件式（８）は、第一レンズの屈折率を規定する条件式であり、条件式（１０）は、第三レンズの屈折率を規定する条件式である。この条件式（８）又は（１０）の下限値を下回ると、適切な材質が限定されてしまい、現実的な構成が難しくなりやすい。なお、小型化の観点からも、この条件式（８）又は（１０）の下限値を下回ると、空気接触面の曲率半径が大きくなり、パワーを確保するために、空気接触面を持つレンズの中心肉厚や周縁部の肉厚を厚くしなければならず好ましくない。一方、条件式（８）又は（１０）の上限値を上回ると、空気接触面における表面反射率が高くなり好ましくない。
【００３５】
条件式（９）は、第二レンズの屈折率を規定する条件式である。この条件式（９）の下限値を下回ると、第二レンズの屈折率と第一レンズ又は第三レンズの屈折率との差が小さくなり好ましくない。一方、上限値を上回ると、肉厚の変化に対する収差の変動が大きくなり、フレアーが発生しやすくなり好ましくない。
【００３６】
また、本実施形態の接合レンズは、第二レンズが、ＵＶ硬化樹脂で形成されていることが好ましい。
【００３７】
このように、第二レンズをＵＶ硬化樹脂で構成することにより、第二レンズの接合面の形状を、第一レンズや第三レンズの接合面の形状と一致させやすいため、形状差による干渉縞の発生を抑えやすく、干渉縞による悪影響を低減しやすい。また、接合面の間に存在する接着剤等の材質が、レンズ作用を持ちにくくなる。さらに、第一レンズ、第二レンズ、第三レンズの総肉厚のバランスを抑える、例えば、総肉厚を適度な厚さとすることにより収差発生によるフレアーを小さくしやすい。すなわち、接合レンズ全体の肉厚を抑えることができるため、高次収差を発生させにくくなる。
【００３８】
また、一般に、全長を短くするために、撮影光学系を、正のパワーを有する前群と負のパワーを有する後群とにより構成することが知られている。しかし、撮影光学系内で収差、特に前群において色収差が発生した場合、その収差が後群において拡大されてしまうため、結像性能が劣化してしまうという問題があった。
【００３９】
そこで、本実施形態の撮影光学系は、物体側から順に、正のパワーを有する前群と、負のパワーを有する後群とにより構成されている撮像光学系であって、前群に、上記いずれかの接合レンズが含まれており、絞りよりも物体側に配置されているという構成としている。
【００４０】
このように構成されている本実施形態の撮影光学系は、前群に上記いずれかの接合レンズを含むことにより、前群内において色収差の発生を抑えることができるため、撮影光学系の結像性能を向上させることができる。
【００４１】
また、本実施形態の撮影光学系は、接合レンズが、像側から順に、第一レンズ、第二レンズ、第三レンズとなるように配置されており、第三レンズが、物体側に凸面を向けた負レンズであり、第三レンズの物体側の面の曲率が、第一レンズの像側の面の曲率よりも大きいことが好ましい。
【００４２】
このように、像側から順に、第一レンズ、第二レンズ、第三レンズとなるように配置した上で、第三レンズの物体側の面を、物体側に凸面を向けた形状とすると、高次の単色収差の発生を抑えやすくなる。また、第二レンズと第三レンズを負レンズとすると、第二レンズと第三レンズにおいて発生する収差と第一レンズにおいて発生する収差を相殺しやすくなる。また、第三レンズの物体側の面の曲率を、第一レンズの像側の面よりも大きくすると、接合レンズ群全体の合成屈折力を正のパワーにしやすくなるため、前群を接合レンズのみで構成したり、前群を構成する他のレンズに負担させる屈折力を軽減させることができるようになるため好ましい。
【００４３】
以下に、実施例１〜実施例３を図面を参照して説明する。なお、これらの実施例は、本発明の接合レンズを撮像装置に用いられるズームレンズに適用したものである。
【００４４】
図面中、光学系断面図におけるｒ1，ｒ2，・・・・・・及びｄ1，ｄ2，・・・・・・において下付き文字として示した数字は、数値データにおける面番号１，２，・・・に対応している。また、収差曲線図において、非点収差におけるΔＭはメリジオナル面の非点収差，ΔＳはサジタル面の非点収差を示している。なお、メリジオナル面とは、光学系の光軸と主光線を含む面（紙面に平行な面）であり、サジタル面とは、光学系の光軸と主光線を含む面に垂直な面（紙面に垂直な面）を意味している。
【００４５】
また、以下の各実施例におけるレンズの数値データにおいては、ｓは面番号、ｒは各面の曲率半径、ｄは面間隔、ｎｄはｄ線（波長５８７．５６００ｎｍ）における屈折率、νｄはｄ線におけるアッベ数、θｇＦはｇ線とＦ線の部分分散比、＊は非球面、Ｋは円錐係数、Ａ4，Ａ6，Ａ8は非球面係数をそれぞれ示している。
【００４６】
また、下記数値データの非球面係数において、Ｅは１０のべき乗を表している。例えば、「Ｅ−１０」は、１０のマイナス１乗を表している。また、各非球面形状は、各実施例における各非球面係数を用いて以下の式で表される。但し、光軸に沿う方向の座標をＺ、光軸と垂直な方向の座標をＹとする。
Ｚ＝（Ｙ2／ｒ）／［１＋｛１−（１＋Ｋ）・（Ｙ／ｒ）2｝1/2］
＋Ａ4Ｙ4＋Ａ6Ｙ6＋Ａ8Ｙ8＋・・・
【実施例１】
【００４７】
図１は、本実施例に係る撮影光学系の無限遠物点合焦時の光学構成を示す光軸に沿う断面図であり、（ａ）は広角端、（ｂ）は中間、（ｃ）は望遠端における状態をそれぞれ示している。図２は、図１に示したズームレンズの無限遠物点合焦時における球面収差，非点収差，歪曲収差，倍率色収差を示す図であり、（ａ）は広角端、（ｂ）は中間、（ｃ）は望遠端における状態をそれぞれ示している。なお、図２において、ＦＩＹは像高である。
【００４８】
まず、図１を用いて、本実施例の撮影光学系の光学構成を説明する。本実施例の撮影光学系は、光軸Ｌｃ上に、物体側から順に、前群Ｇfと、後群Ｇrが配置されている。なお、後群Ｇrの像側には、撮像面ＩＭを持つＣＣＤが配置されている。なお、後群Ｇrと撮像素子ＩＭとの間には、ＩＲカットコートを施したローパスフィルターや、ＣＣＤカバーガラスなどを配置しても良い。
【００４９】
前群Ｇfは、正のパワーを有する第一レンズ群Ｇ1のみにより構成されている。後群Ｇrは、物体側から順に、負のパワーを有する第二レンズ群Ｇ2と、正のパワーを有する第三レンズ群Ｇ3と、正のパワーを有する第四レンズ群Ｇ4と、負のパワーを有する第五レンズ群Ｇ5とにより構成されている。また、第二レンズ群Ｇ2と第三レンズ群Ｇ3との間には、第三レンズ群Ｇ3と一体的に構成された絞りＳが配置されている。
【００５０】
なお、前群Ｇfは、正の合成焦点距離を有している。一方、後群Ｇrは、望遠端においては、負の合成焦点距離を有しているが、広角端においては、正の合成焦点距離を有している。これは、広角端は、望遠端よりも、焦点距離に対する全長の比率を小さくしなくても良く、また、焦点距離に対する色収差の許容量が大きいためである。このように、広角端においては、後群Ｇrに正の合成焦点距離を持たせるようにすれば、ズーム比率を拡大することができる。
【００５１】
第一レンズ群Ｇ1は、物体側から順に、両凸レンズであるレンズＬ11と、接合レンズとにより構成されている。なお、接合レンズは、物体側から順に、物体側に凸面を向けた負のメニスカスレンズであって本発明の第三レンズに相当するレンズＬ12と、物体側に凸面を向けた負のメニスカスレンズであって像側の面を非球面とした本発明の第ニレンズに相当するレンズＬ13と、物体側に凸面を向けた正のメニスカスレンズであって両面を非球面とした本発明の第一レンズに相当するレンズＬ14とからなる。
【００５２】
第二レンズ群Ｇ2は、物体側から順に、両凹レンズであるレンズＬ21と、両凸レンズであるレンズＬ22とにより構成されている。
【００５３】
第三レンズ群Ｇ3は、物体側から順に、両凹レンズであるレンズＬ31と、両凸レンズであるレンズＬ32とにより構成されている。
【００５４】
第四レンズ群Ｇ4は、物体側から順に、両凸レンズであるレンズＬ41と像側に凸面を向けた負のメニスカスレンズであるレンズＬ42とからなる接合レンズと、両凸レンズであるレンズＬ43とにより構成されている。
【００５５】
第五レンズ群Ｇ5は、物体側から順に、両凹レンズであるレンズＬ51と、両凹レンズであるレンズＬ52と物体側に凸面を向けた正のメニスカスレンズであるレンズＬ53とからなる接合レンズとにより構成されている。
【００５６】
また、広角端から望遠端に変倍する際に、第一レンズ群Ｇ1は、光軸Ｌｃ上を物体側に移動する。第二レンズ群Ｇ2は、第一レンズ群Ｇ1との間隔を広げつつ光軸Ｌｃ上を物体側に移動する。第三レンズ群Ｇ3は、第二レンズ群Ｇ2との間隔を狭めつつ光軸Ｌｃ上を物体側に移動する。第四レンズ群Ｇ4は、第三レンズ群Ｇ3との間隔を広げつつ光軸Ｌｃ上を物体側に移動する。第五レンズ群Ｇ5は、第四レンズ群Ｇ4との間隔を狭めつつ光軸Ｌｃ上を物体側に移動する。なお、絞りＳは、第三レンズ群Ｇ3と一体的に移動する。
【００５７】
次に、本実施例に係る各光学系を構成するレンズの構成及び数値データを示す
【００５８】
数値実施例１
単位  ｍｍ
面データ
ｓ                  ｒ        ｄ      ｎｄ      νｄ      θｇＦ     有効半径
物面                  ∞                                                      
1                 85.6703    2.50    1.62000    62.19      0.546       8.80 
2               -320.5653    0.15                                      8.47 
3                 27.8938    1.20    1.58364    30.30      0.599       8.04 
4                 23.1118    0.10    1.74999    16.50      0.622       7.64 
5*                20.7692    3.30    1.53071    55.69      0.560       7.57 
6*                42.1712    可変                                     10.50
7                -35.2632    0.80    1.83400    37.16      0.577       6.71 
8                 20.7524    1.70                                      6.47 
9                 26.4616    1.80    1.84666    23.78      0.620       6.62 
10               -118.0708    可変                                      6.51   11    （絞り）       ∞       2.52                                      6.26 
12               -328.7522    0.80    1.84666    23.78      0.620       6.23 
13                 42.8249    1.30                                      6.27 
14                 44.1743    2.50    1.60311    60.64      0.541       6.51 
15                -23.0854    可変                                      6.56   16                 32.4415    2.80    1.48749    70.23      0.530       6.29 
17                -24.4761    0.80    1.88300    40.76      0.567       6.12 
18               -234.4812    0.10                                      6.07 
19                 45.9225    1.80    1.57099    50.80      0.559       6.02 
20                -71.2028    可変                                      6.00
21                -85.6670    0.60    1.83481    42.71      0.564       5.57 
22                 42.3352    1.00                                      5.58 
23                -47.8824    0.60    1.83481    42.71      0.564       5.63 
24                 15.2033    1.60    1.80810    22.76      0.631       5.90 
25                175.6499    可変                                      5.97
像面                  ∞                                                      
【００５９】
非球面データ
第５面
K=0,A4=9.8045E-08,A6=-1.6155E-08,A8=6.9006E-11
第６面
K=0,A4=4.4388E-08,A6=7.0544E-09,A8=-3.6551E-11
【００６０】
各種データ
ズーム比    2.88
広角        中間        望遠
焦点距離        51.00       86.99      147.00 
Ｆナンバー        4.35        5.40        6.50
画角          12.0°       7.1°       4.2°
像高          10.83       10.83       10.83 
レンズ全長       79.91       91.65      105.99
バックフォーカス    17.05       24.59       36.83 
ｄ６           1.60       14.28       25.90 
ｄ１０         14.71        6.57        1.30
ｄ１５          1.60       10.24       13.09
ｄ２０         13.98        8.00        0.90
ｄ２５         17.05       24.59       36.83
入射瞳位置       25.66       45.92       76.59
射出瞳位置      -13.09      -14.63      -14.85
前側主点位置      -9.63      -60.06     -194.50 
後側主点位置     -33.95      -62.40     -110.17 
【００６１】
単レンズデータ
レンズ  始面  焦点距離
1      1    109.295
2      3   -254.526
3      4   -278.304
4      5     73.199
5      7    -15.563
6      9     25.679
7     12    -44.707
8     14     25.496
9     16     29.086
10     17    -31.005
11     19     49.167
12     21    -33.868
13     23    -13.763
14     24     20.505
【００６２】
接合レンズデータ
レンズ  始面  焦点距離
2,3,4    3    174.005
9,10    16    334.982
13,14   23    -41.829
【００６３】
ズームレンズ群データ
群  始面  焦点距離  レンズ構成長  前側主点位置  後側主点位置
1    1     65.81       7.25         -1.828        -6.222 
2    7    -49.49       4.30         -3.659        -7.288 
3   11     52.77       7.12          7.845         2.277 
4   16     44.01       5.50          1.627        -2.005 
5   21    -18.38       3.80          0.819        -1.691 
【００６４】
レンズ群データ
群   焦点距離（望遠端）
前群         65.81
後群        -35.32
【００６５】
上記条件式に係るデータ
条件式（１） ０．１＜（ｎM3−ｎM2）／（ｎM1−ｎM2）＜５  ：  １
条件式（２） ０．０５＜（ｎM2−ｎM1）＜０．２５  ：  ０．２１９２８
条件式（３） ０．１＜ｄM2／（ｄM1＋ｄM2＋ｄM3）＜０．７  ：  ０．０２２
条件式（４） ８＜νM2＜２８  ：  １６．５
条件式（５） ０．０４＜（θｇＦM2−θｇＦM1）＜０．０８  ：  ０．０６２
条件式（６） ５＜（νM1−νM2）＜４５  ：３９．１９
条件式（７） ５＜（νM3−νM2）＜４５  ：１３．８
条件式（８） １．４＜ｎM1＜１．６５  ：１．５３０７１
条件式（９） １．４＜ｎM2＜１．６５  ：１．７４９９９
条件式（１０） １．４＜ｎM3＜１．６５  ：１．５３０７１
【実施例２】
【００６６】
図３は、本実施例に係る撮影光学系の無限遠物点合焦時の光学構成を示す光軸に沿う断面図であり、（ａ）は広角端、（ｂ）は中間、（ｃ）は望遠端における状態をそれぞれ示している。図４は、図３に示したズームレンズの無限遠物点合焦時における球面収差，非点収差，歪曲収差，倍率色収差を示す図であり、（ａ）は広角端、（ｂ）は中間、（ｃ）は望遠端における状態をそれぞれ示している。なお、図４において、ＦＩＹは像高である。
【００６７】
まず、図３を用いて、本実施例の撮影光学系の光学構成を説明する。本実施例の撮影光学系は、光軸Ｌｃ上に、物体側から順に、前群Ｇfと、後群Ｇrが配置されている。なお、後群Ｇrの像側には、撮像面ＩＭを持つＣＣＤが配置されている。なお、後群Ｇrと撮像素子ＩＭとの間には、ＩＲカットコートを施したローパスフィルターや、ＣＣＤカバーガラスなどを配置しても良い。
【００６８】
前群Ｇfは、正のパワーを有する第一レンズ群Ｇ1のみにより構成されている。後群Ｇrは、物体側から順に、負のパワーを有する第二レンズ群Ｇ2と、正のパワーを有する第三レンズ群Ｇ3と、正のパワーを有する第四レンズ群Ｇ4と、負のパワーを有する第五レンズ群Ｇ5とにより構成されている。また、第二レンズ群Ｇ2と第三レンズ群Ｇ3との間には、第三レンズ群Ｇ3と一体的に構成された絞りＳが配置されている。
【００６９】
なお、前群Ｇfは、正の合成焦点距離を有している。一方、後群Ｇrは、望遠端においては、負の合成焦点距離を有しているが、広角端においては、正の合成焦点距離を有している。
【００７０】
第一レンズ群Ｇ1は、物体側から順に、両凸レンズであるレンズＬ11と、接合レンズとにより構成されている。なお、接合レンズは、物体側から順に、物体側に凸面を向けた負のメニスカスレンズであって本発明の第三レンズに相当するレンズＬ12と、物体側に凸面を向けた負のメニスカスレンズであって像側の面を非球面とした本発明の第ニレンズに相当するレンズＬ13と、物体側に凸面を向けた正のメニスカスレンズであって両面を非球面とした本発明の第一レンズに相当するレンズＬ14とからなる。
【００７１】
第二レンズ群Ｇ2は、物体側から順に、両凹レンズであるレンズＬ21と、両凸レンズであるレンズＬ22とにより構成されている。
【００７２】
第三レンズ群Ｇ3は、物体側から順に、両凹レンズであるレンズＬ31と、両凸レンズであるレンズＬ32とにより構成されている。
【００７３】
第四レンズ群Ｇ4は、物体側から順に、両凸レンズであるレンズＬ41と像側に凸面を向けた負のメニスカスレンズであるレンズＬ42とからなる接合レンズと、両凸レンズであるレンズＬ43とにより構成されている。
【００７４】
第五レンズ群Ｇ5は、物体側から順に、両凹レンズであるレンズＬ51と、両凹レンズであるレンズＬ52と物体側に凸面を向けた正のメニスカスレンズであるレンズＬ53とからなる接合レンズとにより構成されている。
【００７５】
また、広角端から望遠端に変倍する際に、第一レンズ群Ｇ1は、光軸Ｌｃ上を物体側に移動する。第二レンズ群Ｇ2は、第一レンズ群Ｇ1との間隔を広げつつ光軸Ｌｃ上を物体側に移動する。第三レンズ群Ｇ3は、第二レンズ群Ｇ2との間隔を狭めつつ光軸Ｌｃ上を物体側に移動する。第四レンズ群Ｇ4は、第三レンズ群Ｇ3との間隔を広げつつ光軸Ｌｃ上を物体側に移動する。第五レンズ群Ｇ5は、第四レンズ群Ｇ4との間隔を狭めつつ光軸Ｌｃ上を物体側に移動する。なお、絞りＳは、第三レンズ群Ｇ3と一体的に移動する。
【００７６】
次に、本実施例に係る各光学系を構成するレンズの構成及び数値データを示す。
【００７７】
数値実施例２
単位  ｍｍ
面データ
ｓ                   ｒ        ｄ      ｎｄ      νｄ      θｇＦ    有効半径
物面                  ∞                                                      
1                 85.1981    2.50    1.62000    62.19      0.546       8.99 
2               -328.3946    0.15                                      8.66 
3                 28.0251    1.20    1.58364    30.30      0.599       8.21 
4                 24.8387    0.10    1.63494    23.22      0.612       7.83 
5*                19.3869    3.30    1.53071    55.69      0.560       7.70 
6*                42.3908    可変                                     10.50
7                -35.5160    0.80    1.83400    37.16      0.577       6.73 
8                 20.7714    1.70                                      6.49 
9                 26.4117    1.80    1.84666    23.78      0.620       6.64 
10               -115.9611    可変                                      6.51   11    （絞り）       ∞       2.52                                      6.26 
12               -296.5349    0.80    1.84666    23.78      0.620       6.14 
13                 42.6962    1.30                                      6.17 
14                 44.1750    2.50    1.60311    60.64      0.541       6.41 
15                -23.1116    可変                                      6.46   16                 32.4342    2.80    1.48749    70.23      0.530       6.20 
17                -24.4722    0.80    1.88300    40.76      0.567       6.04 
18               -230.5420    0.10                                      5.99 
19                 45.9625    1.80    1.57099    50.80      0.559       5.94 
20                -70.3355    可変                                      6.00
21                -85.5517    0.60    1.83481    42.71      0.564       5.59 
22                 42.0489    1.00                                      5.60 
23                -48.0636    0.60    1.83481    42.71      0.564       5.65 
24                 15.0943    1.60    1.80810    22.76      0.631       5.93 
25                176.2681    可変                                      6.00
像面                  ∞                                                      
【００７８】
非球面データ
第５面
K=0,A4=4.2631E-08,A6=-3.7770E-08,A8=1.5162E-10
第６面
K=0,A4=4.9623E-08,A6=7.3153E-09,A8=3.7446E-11
【００７９】
各種データ
ズーム比    2.88
広角        中間        望遠
焦点距離        51.00       87.00      147.00 
Ｆナンバー        4.35        5.40        6.50
画角          12.0°       7.1°       4.2°
像高          10.83       10.83       10.83 
レンズ全長       76.89       91.60      106.00
バックフォーカス    16.63       24.54       36.84 
ｄ６           2.00       14.27       25.90 
ｄ１０         14.70        6.60        1.30
ｄ１５          1.60       10.23       13.09
ｄ２０         13.99        7.99        0.90
ｄ２５         16.63       24.54       36.84
入射瞳位置       26.55       45.94       76.48
射出瞳位置      -13.09      -14.63      -14.87
前側主点位置      -9.98      -60.29     -194.46 
後側主点位置     -34.37      -62.46     -110.16 
【００８０】
単レンズデータ
レンズ  始面  焦点距離
1      1    109.36 
2      3   -434.64 
3      4   -140.11 
4      5     64.13 
5      7    -15.61 
6      9     25.56 
7     12    -44.03 
8     14     25.51 
9     16     29.08 
10     17    -31.06 
11     19     48.96 
12     21    -33.70 
13     23    -13.70 
14     24     20.34 
【００８１】
接合レンズデータ
レンズ  始面  焦点距離
2,3,4    3    174.08 
9,10    16    328.00 
13,14   23    -41.95 
【００８２】
ズームレンズ群データ
群  始面  焦点距離  レンズ構成長  前側主点位置  後側主点位置
1    1     65.86       7.25         -1.80         -6.21
2    7    -50.51       4.30         -3.76         -7.40
3   11     53.73       7.12          7.93          2.38
4   16     43.73       5.50          1.64         -2.00
5   21    -18.36       3.80          0.82         -1.69
【００８３】
レンズ群データ
群   焦点距離（望遠端）
前群         65.86
後群        -35.36
【００８４】
上記条件式に係るデータ
条件式（１） ０．１＜（ｎM3−ｎM2）／（ｎM1−ｎM2）＜５  ：  ０．４９２１８１
条件式（２） ０．０５＜（ｎM2−ｎM1）＜０．２５  ：  ０．１０４２３
条件式（３） ０．１＜ｄM2／（ｄM1＋ｄM2＋ｄM3）＜０．７  ：  ０．０２２
条件式（４） ８＜νM2＜２８  ：  ２３．２２
条件式（５） ０．０４＜（θｇＦM2−θｇＦM1）＜０．０８  ：  ０．０５２
条件式（６） ５＜（νM1−νM2）＜４５  ：  ３２．４７
条件式（７） ５＜（νM3−νM2）＜４５  ：  ７．０８
条件式（８） １．４＜ｎM1＜１．６５  ：  １．５３０７１
条件式（９） １．４＜ｎM2＜１．６５  ：  １．６３４９４
条件式（１０） １．４＜ｎM3＜１．６５  ：  １．５８３６４
【実施例３】
【００８５】
図５は、本実施例に係る撮影光学系の無限遠物点合焦時の光学構成を示す光軸に沿う断面図であり、（ａ）は広角端、（ｂ）は中間、（ｃ）は望遠端における状態をそれぞれ示している。図６は、図５に示したズームレンズの無限遠物点合焦時における球面収差，非点収差，歪曲収差，倍率色収差を示す図であり、（ａ）は広角端、（ｂ）は中間、（ｃ）は望遠端における状態をそれぞれ示している。なお、図６において、ＦＩＹは像高である。
【００８６】
まず、図５を用いて、本実施例の撮影光学系の光学構成を説明する。本実施例の撮影光学系は、光軸Ｌｃ上に、物体側から順に、前群Ｇfと、後群Ｇrが配置されている。なお、後群Ｇrの像側には、撮像面ＩＭを持つＣＣＤが配置されている。なお、後群Ｇrと撮像素子ＩＭとの間には、ＩＲカットコートを施したローパスフィルターや、ＣＣＤカバーガラスなどを配置しても良い。
【００８７】
前群Ｇfは、正のパワーを有する第一レンズ群Ｇ1のみにより構成されている。後群Ｇrは、物体側から順に、負のパワーを有する第二レンズ群Ｇ2と、正のパワーを有する第三レンズ群Ｇ3と、正のパワーを有する第四レンズ群Ｇ4と、負のパワーを有する第五レンズ群Ｇ5とにより構成されている。また、第二レンズ群Ｇ2と第三レンズ群Ｇ3との間には、第三レンズ群Ｇ3と一体的に構成された絞りＳが配置されている。
【００８８】
なお、前群Ｇfは、正の合成焦点距離を有している。一方、後群Ｇrは、望遠端においては、負の合成焦点距離を有しているが、広角端においては、正の合成焦点距離を有している。
【００８９】
第一レンズ群Ｇ1は、物体側から順に、両凸レンズであるレンズＬ11と、接合レンズとにより構成されている。なお、接合レンズは、物体側から順に、物体側に凸面を向けた負のメニスカスレンズであって本発明の第三レンズに相当するレンズＬ12と、物体側に凸面を向けた負のメニスカスレンズであって像側の面を非球面とした本発明の第ニレンズに相当するレンズＬ13と、物体側に凸面を向けた正のメニスカスレンズであって両面を非球面とした本発明の第一レンズに相当するレンズＬ14とからなる。
【００９０】
第二レンズ群Ｇ2は、物体側から順に、両凹レンズであるレンズＬ21と、両凸レンズであるレンズＬ22とにより構成されている。
【００９１】
第三レンズ群Ｇ3は、物体側から順に、両凹レンズであるレンズＬ31と、両凸レンズであるレンズＬ32とにより構成されている。
【００９２】
第四レンズ群Ｇ4は、物体側から順に、両凸レンズであるレンズＬ41と像側に凸面を向けた負のメニスカスレンズであるレンズＬ42とからなる接合レンズと、両凸レンズであるレンズＬ43とにより構成されている。
【００９３】
第五レンズ群Ｇ5は、物体側から順に、両凹レンズであるレンズＬ51と、両凹レンズであるレンズＬ52と物体側に凸面を向けた正のメニスカスレンズであるレンズＬ53とからなる接合レンズとにより構成されている。
【００９４】
また、広角端から望遠端に変倍する際に、第一レンズ群Ｇ1は、光軸Ｌｃ上を物体側に移動する。第二レンズ群Ｇ2は、第一レンズ群Ｇ1との間隔を広げつつ光軸Ｌｃ上を物体側に移動する。第三レンズ群Ｇ3は、第二レンズ群Ｇ2との間隔を狭めつつ光軸Ｌｃ上を物体側に移動する。第四レンズ群Ｇ4は、第三レンズ群Ｇ3との間隔を広げつつ光軸Ｌｃ上を物体側に移動する。第五レンズ群Ｇ5は、第四レンズ群Ｇ4との間隔を狭めつつ光軸Ｌｃ上を物体側に移動する。なお、絞りＳは、第三レンズ群Ｇ3と一体的に移動する。
【００９５】
次に、本実施例に係る各光学系を構成するレンズの構成及び数値データを示す。
【００９６】
数値実施例３
単位  ｍｍ
面データ
ｓ                   ｒ        ｄ      ｎｄ      νｄ      θｇＦ    有効半径  物面                  ∞                                                      
1                 84.6725    2.30    1.62000    62.19      0.546       8.89 
2               -320.2587    0.15                                      8.60 
3                 28.0669    1.20    1.53071    55.69      0.560       8.15 
4                 25.3647    0.10    1.63494    23.22      0.612       7.78 
5*                19.0036    3.20    1.53071    55.69      0.560       7.64 
6*                42.4721    可変                                     10.50
7                -36.2995    0.80    1.83400    37.16      0.577       6.69 
8                 20.7815    1.70                                      6.45 
9                 26.5113    2.20    1.84666    23.78      0.620       6.59 
10               -116.2094    可変                                      6.51   11    （絞り）       ∞       2.52                                      6.22 
12               -295.5886    0.80    1.84666    23.78      0.620       6.28 
13                 42.9032    1.30                                      6.32 
14                 44.3236    2.80    1.60311    60.64      0.541       6.56 
15                -23.2596    可変                                      6.63
16                 32.5764    2.70    1.48749    70.23      0.530       6.37 
17                -24.5531    0.80    1.88300    40.76      0.567       6.22 
18               -232.3460    0.10                                      6.17 
19                 46.3540    1.80    1.57099    50.80      0.559       6.12 
20                -69.3559    可変                                      6.00
21                -85.2917    0.60    1.83481    42.71      0.564       5.59 
22                 41.6213    1.00                                      5.61 
23                -47.5731    0.60    1.83481    42.71      0.564       5.65 
24                 15.1028    1.60    1.80810    22.76      0.631       5.94 
25                172.2812    可変                                      6.00
像面                  ∞                                                      
【００９７】
非球面データ
第５面
K=0,A4=-1.3954E-07,A6=-3.8597E-08,A8=1.4632E-10
第６面
K=0,A4=5.6726E-08,A6=7.1276E-09,A8=-3.6072E-11
【００９８】
各種データ
ズーム比    2.88
広角        中間        望遠
焦点距離        51.00       87.00      147.00 
Ｆナンバー        4.25        5.34        6.50
画角          12.0°       7.1°       4.2°
像高          10.83       10.83       10.83 
レンズ全長       77.11       91.80      106.05
バックフォーカス    16.56       24.45       36.59 
ｄ６           2.00       14.27       25.90 
ｄ１０         14.69        6.61        1.30
ｄ１５          1.60       10.23       13.09
ｄ２０         14.00        7.98        0.90
ｄ２５         16.56       24.45       36.59
入射瞳位置       26.49       45.93       76.68
射出瞳位置      -13.07      -14.59      -14.84
前側主点位置     -10.30      -60.95     -196.55 
後側主点位置     -34.44      -62.55     -110.41 
【００９９】
単レンズデータ
レンズ  始面  焦点距離
1      1    108.25 
2      3   -586.77 
3      4   -120.08 
4      5     61.88 
5      7    -15.75 
6      9     25.68 
7     12    -44.20 
8     14     25.693
9     16     29.17 
10     17    -31.15 
11     19     48.94 
12     21    -33.43 
13     23    -13.67 
14     24     20.39 
【０１００】
接合レンズデータ
レンズ  始面  焦点距離
2,3,4    3    174.60 
9,10    16    334.21 
13,14   23    -41.45 
【０１０１】
ズームレンズ群データ
群  始面  焦点距離  レンズ構成長  前側主点位置  後側主点位置
1    1     65.57       6.95         -1.72         -5.98
2    7    -50.50       4.70         -3.90         -7.78
3   11     54.01       7.42          8.19          2.47
4   16     43.78       5.40          1.62         -1.94
5   21    -18.18       3.80          0.82         -1.69
【０１０２】
レンズ群データ
群   焦点距離（望遠端）
前群         65.57
後群        -34.89
【０１０３】
上記条件式に係るデータ
条件式（１） ０．１＜（ｎM3−ｎM2）／（ｎM1−ｎM2）＜５  ：  １
条件式（２） ０．０５＜（ｎM2−ｎM1）＜０．２５  ：  ０．１０４２３
条件式（３） ０．１＜ｄM2／（ｄM1＋ｄM2＋ｄM3）＜０．７  ：  ０．０２２
条件式（４） ８＜νM2＜２８  ：  ２３．２２
条件式（５） ０．０４＜（θｇＦM2−θｇＦM1）＜０．０８  ：  ０．０５２
条件式（６） ５＜（νM1−νM2）＜４５  ：  ３２．４７
条件式（７） ５＜（νM3−νM2）＜４５  ：  ３２．４７
条件式（８） １．４＜ｎM1＜１．６５  ：  １．５３０７１
条件式（９） １．４＜ｎM2＜１．６５  ：  １．６３４９４
条件式（１０） １．４＜ｎM3＜１．６５  ：  １．５３０７１
【０１０４】
なお、上記各実施例においては、接合レンズの接合面に、接着剤や密着性を向上させ物質を塗布したり、反射防止用の薄膜を蒸着したりしても良い。
【０１０５】
また、第二レンズは、ＵＶ硬化樹脂で形成しても良い。なお、その形成方法としては、接合する前に第二レンズを作製した後に、第一レンズと第三レンズに接合しても良いし、第一レンズと第三レンズを固定した後に、それらの間にＵＶ硬化樹脂を注入して第二レンズを形成しても良い。
【図面の簡単な説明】
【０１０６】
【図１】本発明の実施例１に係る撮影光学系の無限遠物点合焦時の光学構成を示す光軸に沿う断面図であり、（ａ）は広角端、（ｂ）は中間、（ｃ）は望遠端における状態をそれぞれ示している。
【図２】図１に示した撮影光学系の無限遠物点合焦時における球面収差，非点収差，歪曲収差，倍率色収差を示す図であり、（ａ）は広角端、（ｂ）は中間、（ｃ）は望遠端における状態をそれぞれ示している。
【図３】本発明の実施例２に係る撮影光学系の無限遠物点合焦時の光学構成を示す光軸に沿う断面図であり、（ａ）は広角端、（ｂ）は中間、（ｃ）は望遠端における状態をそれぞれ示している。
【図４】図３に示した撮影光学系の無限遠物点合焦時における球面収差，非点収差，歪曲収差，倍率色収差を示す図であり、（ａ）は広角端、（ｂ）は中間、（ｃ）は望遠端における状態をそれぞれ示している。
【図５】本発明の実施例３に係る撮影光学系の無限遠物点合焦時の光学構成を示す光軸に沿う断面図であり、（ａ）は広角端、（ｂ）は中間、（ｃ）は望遠端における状態をそれぞれ示している。
【図６】図５に示した撮影光学系の無限遠物点合焦時における球面収差，非点収差，歪曲収差，倍率色収差を示す図であり、（ａ）は広角端、（ｂ）は中間、（ｃ）は望遠端における状態をそれぞれ示している。
【符号の説明】
【０１０７】
Ｇｆ         前群
Ｇｒ         後群
Ｇ1          第一レンズ群
Ｇ2          第二レンズ群
Ｇ3          第三レンズ群
Ｇ4          第四レンズ群
Ｇ5          第五レンズ群
Ｌ11、Ｌ12、Ｌ13、Ｌ14、Ｌ21、Ｌ22、Ｌ31、Ｌ32、Ｌ41、Ｌ42、Ｌ43、Ｌ51、Ｌ52、Ｌ53          レンズ
Ｌｃ         光軸
Ｓ           絞り
ＩＭ         撮像面
【図１】
2009222804.tif 000003
【図２】
2009222804.tif 000004
【図３】
2009222804.tif 000005
【図４】
2009222804.tif 000006
【図５】
2009222804.tif 000007
【図６】
2009222804.tif 000008